(57)【特許請求の範囲】
【請求項１】
固定金型を保持する固定ダイプレートと、固定ダイプレートに対向して配置されたサポートプレートと、固定ダイプレートとサポートプレートとの間に回転自在に保持された複数のボールネジのネジ軸と、ボールネジのナットが固定され固定ダイプレートとサポートプレートとの間で進退可能に配置された保持プレートと、保持プレートにプレートを介して連結され、固定ダイプレートに対向して移動金型を保持する移動ダイプレートと、複数のボールネジのネジ軸を互いに同期させて回転させるモータとを備えたことを特徴とする射出成形機の直圧式電動型締装置。
【請求項２】
固定ダイプレートとサポートプレートの間に、２本のボールネジのネジ軸を、金型の中心軸を中心として斜めの互いに対称な位置に並列に配置したことを特徴とする請求項１に記載の射出成形機の直圧式電動型締装置。
【発明の詳細な説明】
【０００１】
【発明の属する技術分野】
本発明は射出成形機の直圧式電動型締装置に関する。
【０００２】
【従来の技術】
図４に従来の射出成形機の直圧式電動型締装置の正面図を示し、その概略構成を説明する。図中、３は固定ダイプレート、４は移動ダイプレート、５は固定金型、６は移動金型、１０はボールネジ、１１はボールネジのネジ軸、１２はボールネジのナットを表す。
【０００３】
ベース１の両端には、固定ダイプレート３およびサポートプレート７が互いに対向するように配置されている。固定ダイプレート３の前面には固定金型５が保持される。固定ダイプレート３とサポートプレート７との間には、２本のボールネジ１０のネジ軸１１が回転自在に保持されている。すなわち、ネジ軸１１の先端部（図では右端側）は固定ダイプレート３に回転自在に接続され、ネジ軸１１の後端部（図では左端側）はサポートプレート７にベアリングを介して回転自在に支持されサポートプレート７を貫通している。
【０００４】
固定ダイプレート３とサポートプレート７との間で、各ボールネジ１０のナット１２は移動ダイプレート４の互いに対角位置にある二隅にそれぞれ固定されている。各ボールネジ１０のネジ軸１１は、ナット１２を介して移動ダイプレート４を貫通している。移動ダイプレート４には、固定ダイプレート３の前面に保持される固定金型５に対向するように、移動金型６が保持される。移動ダイプレート４は固定ダイプレート３とサポートプレート７との間で進退し、移動ダイプレート４の下端はベース１上を摺動することができる。
【０００５】
各ボールネジ１０のネジ軸１１の後端部（図では左端側）には、それぞれプーリ２２が取り付けられている。ベース１の下側にはモータ２０が収容され、モータ２０の軸にはプーリ２１が取り付けられている。プーリ２１と各プーリ２２の間には、タイミングベルト２３が架け渡されている。
【０００６】
図５を参照して従来の直圧式電動型締装置の動作と欠点を説明する。この型締装置では、モータ２０を用いて各ボールネジ１０のネジ軸１１を回転させることによって、各ボールネジ１０のナット１２を軸方向に駆動させて移動ダイプレート４をネジ軸１１に沿って前後方向に移動させ、型締めおよび型開きの動作を行う。
【０００７】
図５に示すように、型締めの際には、各ボールネジ１０のナット１２を軸方向に駆動させて移動ダイプレート４を固定ダイプレート３に対して前進させ、ナット１２が進みきる前に固定金型５と移動金型６の型面を互いに接触させる。さらにナット１２を駆動させると、型面に生ずる圧縮荷重の反力がネジ軸１１に伝達されてネジ軸１１を伸長（弾性変形）させ、型締力を発生させる。
【０００８】
しかし、従来の直圧式電動型締装置には次のような欠点があった。すなわち、移動ダイプレート４とボールネジ１０のナット１２とが直接固定されているため、型締めの際に移動ダイプレート４が図中矢印で示すように大きく撓んでしまい、金型に対して均等な型締力を精度よく発生させることができなかった。また、移動ダイプレート４が大きく撓むと金型の撓みも大きくなるため、精密成形品の成形が困難であるうえに、金型の寿命が短縮していた。
【０００９】
【発明が解決しようとする課題】
本発明の目的は、型締めの際に移動ダイプレートの撓みを小さくして、型締精度を向上させ、安定した精密成形を可能にし、かつ金型の寿命を延ばすことができる射出成形機の直圧式電動型締装置を提供することにある。
【００１０】
【課題を解決するための手段】
本発明に係る射出成形機の直圧式電動型締装置は、固定金型を保持する固定ダイプレートと、固定ダイプレートに対向して配置されたサポートプレートと、固定ダイプレートとサポートプレートとの間に回転自在に保持された複数のボールネジのネジ軸と、ボールネジのナットが固定され固定ダイプレートとサポートプレートとの間で進退可能に配置された保持プレートと、保持プレートにロードセルを介して連結され、固定ダイプレートに対向して移動金型を保持する移動ダイプレートと、複数のボールネジのネジ軸を互いに同期させて回転させるモータとを備えたことを特徴とする。
【００１１】
本発明に係る他の射出成形機の直圧式電動型締装置は、固定金型を保持する固定ダイプレートと、固定ダイプレートに対向して配置されたサポートプレートと、固定ダイプレートとサポートプレートとの間に回転自在に保持された複数のボールネジのネジ軸と、ボールネジのナットが固定され固定ダイプレートとサポートプレートとの間で進退可能に配置された保持プレートと、保持プレートにプレートを介して連結され、固定ダイプレートに対向して移動金型を保持する移動ダイプレートと、複数のボールネジのネジ軸を互いに同期させて回転させるモータとを備えたことを特徴とする。
【００１２】
本発明の装置においては、固定ダイプレートとサポートプレートの間に、２本のボールネジのネジ軸を、金型の中心軸を中心として斜めの互いに対称な位置に並列に配置することが好ましい。
【００１３】
【発明の実施の形態】
図１および図２を参照して、本発明に係る射出成形機の直圧式電動型締装置の概略構成を示す。図１は正面図、図２は図１のＡ−Ａ矢視図である。図中、３は固定ダイプレート、４は移動ダイプレート、５は固定金型、６は移動金型、２は保持プレート、１０はボールネジ、１１はボールネジのネジ軸、１２はボールネジのナットを表す。
【００１４】
図１に示すように、ベース１の両端には、固定ダイプレート３およびサポートプレート７が互いに対向するように配置されている。固定ダイプレート３の前面には固定金型５が保持される。固定ダイプレート３とサポートプレート７との間には、２本のボールネジ１０のネジ軸１１が回転自在に並列に保持されている。具体的には、ネジ軸１１の先端部（図では右端側）は固定ダイプレート３に回転自在に接続され、ネジ軸１１の後端部（図では左端側）はサポートプレート７にベアリングを介して回転自在に支持されサポートプレート７を貫通している。
【００１５】
図２に示すように、固定ダイプレート３とサポートプレート７との間で、各ボールネジ１０のナット１２は保持プレート２の互いに対角位置にある二隅にそれぞれ固定されている。各ボールネジ１０のネジ軸１１は、ナット１２を介して保持プレート２を貫通している。２本のボールネジ１０のネジ軸１１は、金型の中心軸を中心として斜めの互いに対称な位置に並列に配置される。
【００１６】
保持プレート２の前面には、ロードセル１５を介して、移動ダイプレート４が連結されている。移動ダイプレート４には、固定ダイプレート３の前面に保持される固定金型５に対向するように、移動金型６が保持される。保持プレート２および移動ダイプレート４は固定ダイプレート３とサポートプレート７との間で進退し、移動ダイプレート４の下端はベース１上を摺動することができる。
【００１７】
上記のロードセル１５は型締力のフィードバック制御を行うために設けられているが、ロードセル１５によるフィードバック制御が不要な場合には、ロードセル１５の代わりに、保持プレート２と移動ダイプレート４とを連結する図示しないリジッドな（剛直な）プレートを使用してもよい。
【００１８】
各ボールネジ１０のネジ軸１１の後端部（図では左端側）には、それぞれプーリ２２が取り付けられている。ベース１の下側にはモータ２０が収容され、モータ２０の軸にはプーリ２１が取り付けられている。プーリ２１と各プーリ２２の間には、タイミングベルト２３が架け渡されている。
【００１９】
図３を参照して本発明に係る直圧式電動型締装置の動作を説明する。この型締装置では、モータ２０を用いて各ボールネジ１０のネジ軸１１を回転させることによって、各ボールネジ１０のナット１２を軸方向に駆動させて保持プレート２とともに移動ダイプレート４をネジ軸１１に沿って前後方向に移動させ、型締めおよび型開きの動作を行う。
【００２０】
図３に示すように、型締めの際には、各ボールネジ１０のナット１２を軸方向に駆動させて保持プレート２とともに移動ダイプレート４を固定ダイプレート３に対して前進させ、ナット１２が進みきる前に固定金型５と移動金型６の型面を互いに接触させる。さらにナット１２を駆動させると、型面に生ずる圧縮荷重の反力がネジ軸１１に伝達されてネジ軸１１を伸長（弾性変形）させ、型締力を発生させる。
【００２１】
本発明の装置では、移動ダイプレート４がロードセル１５を介して保持プレート２に連結されているため、型締めの際にボールネジ１０のナット１２が固定されている保持プレート２が大きく撓んだとしても、移動ダイプレート４の撓みは従来と比較して小さくすることができる。このため、金型に対して均等な型締力を精度よく発生させることができる。また、ロードセル１５による型締力のフィードバック制御を行うことにより、設定通りの型締力が得られる。さらに、移動ダイプレート４の撓みが小さいことから金型の撓みも従来と比較して小さくなるため、精密成形品の成形を安定して行えるうえに、金型の寿命を延ばすこともできる。
【００２２】
なお、ロードセル１５によるフィードバック制御が不要な場合に、上述したようにロードセル１５の代わりにプレートを使用すれば、コストダウンを図ることができる。
【００２３】
【発明の効果】
以上詳述したように本発明の射出成形機の直圧式電動型締装置では、型締めの際に移動ダイプレートの撓みを小さくして、型締精度を向上させ、安定した精密成形を可能にし、かつ金型の寿命を延ばすことができる。
【図面の簡単な説明】
【図１】本発明に係る射出成形機の直圧式電動型締装置の正面図。
【図２】図１のＡ−Ａ矢視図。
【図３】本発明に係る射出成形機の直圧式電動型締装置の型締動作を説明する正面図。
【図４】従来の射出成形機の直圧式電動型締装置の正面図。
【図５】従来の射出成形機の直圧式電動型締装置の型締動作を説明する正面図。
【符号の説明】
１…ベース
２…保持プレート
３…固定ダイプレート
４…移動ダイプレート
５…固定金型
６…移動金型
７…サポートプレート
１０…ボールネジ
１１…ボールネジのネジ軸
１２…ボールネジのナット
１５…ロードセル
２０…モータ
２１、２２…プーリ
２３…タイミングベルト
【図１】
0004755780.tif 000002
【図２】
0004755780.tif 000003
【図３】
0004755780.tif 000004
【図４】
0004755780.tif 000005
【図５】
0004755780.tif 000006